(57)【要約】【課題】  迷惑メールを防止する。【解決手段】  迷惑メールの迷惑度を判定する手段により、好ましくない電子メールを自動的に判定し、通常受信メールを保持するメールボックスとは別の迷惑メール格納ボックスに隔離する。  また、誤って迷惑メールと判定された場合においても、受信メールボックスに移動する手段により通常受信メールとすることが可能とする。  さらに、迷惑メールの迷惑度を判定する手段により、ユーザの意思と異なる判定が繰返し行なわれる場合は、ユーザ毎の条件設定（ホワイトリスト/ブラックリスト）により強制的に格納先を指定することを可能とする。【選択図】  図１
2009055425.tif 000002
【特許請求の範囲】
【請求項１】
ユーザアカウント毎に受信メールを保持する受信メールボックスを具備するサーバクライアント型電子メールシステムにおいて、サーバとクライアント間に介在し各々の電子メールの迷惑度を判定し、予め定められた迷惑度の閾値以上の電子メールに迷惑度を付与する迷惑度判定装置と、前記迷惑度判定装置が迷惑度を付与した迷惑メールを前記受信メールボックスとは別に格納するための迷惑メール格納ボックスとを具備することを特徴とした電子メールシステム。
【請求項２】
前記迷惑度が閾値以上の迷惑メールを前記迷惑メール格納ボックスに格納することを特徴とした請求項１に記載の電子メールシステム。
【請求項３】
ユーザ毎に前記迷惑メールを前記受信メールボックスに格納するかを選択する選択装置を具備することを特徴とする請求項１に記載の電子メールシステム。
【請求項４】
前記迷惑メールボックスから前記受信メールボックスに電子メールを移動する移動手段を具備する請求項１に記載の電子メールシステム。
【請求項５】
ユーザ毎に特定の条件１を満足するホワイトリストの電子メールを強制的に前記受信メールボックスに格納することを指定するホワイトリスト装置とを具備し、前記ホワイトリストに合致する電子メールは、前記迷惑度判定装置が迷惑メールと判断した場合でも受信ボックスに格納することを特徴とした請求項１に記載の電子メールシステム。
【請求項６】
ユーザ毎に特定の条件２を満足するブラックリストの電子メールを強制的に前記迷惑メールボックスに格納することを指定するブラックリスト装置とを具備し、前記ブラックリストに合致する電子メールは、前記迷惑度判定装置が迷惑メールと判断しない場合でも迷惑メールボックスに格納することを特徴とした請求項１に記載の電子メールシステム。
【発明の詳細な説明】
【技術分野】
【０００１】
本発明は、迷惑メールフィルタリングシステム、迷惑メールフィルタリング方法およびそれを記録する方法に関する電子メールシステムの発明である。
【背景技術】
【０００２】
近年、インターネット等のネットワークを介して電子メールの送受信を行なうことが広く行なわれるようになっている。
【０００３】
しかし、これに伴い、不特定多数のユーザに本来の業務とは関係のない内容の電子メールを一方的に送りつけてくる、いわゆる迷惑メール（スパムメール）が問題となっている。
【０００４】
このような迷惑メールの受信を受付けないようにするための方法としては、ネットワークを経由して受取った、同一送信者からの非常に多数の電子メール、または発信者不明の電子メールを自動的に受付けないようにするメールサーバなどであった。（例えば、特許文献１参照）
【特許文献１】特開2000-163341号公報
【発明の開示】
【発明が解決しようとする課題】
【０００５】
しかしながら、上述した従来の技術で明記しているような迷惑メールは特定の送信者から特定のユーザに対して多数とは限らない。例えばある特定の送信者からの迷惑メールは数通しか届かないが、別の送信者から別の迷惑メールを送信されることで受取る迷惑メールが多数になるということがある。
【０００６】
また、発信者メールアドレスに関しても、送信者が周期的にフリーメールアカウントを変更して使用するなど発信者不明であるとは限らない。
【課題を解決するための手段】
【０００７】
上述した課題を解決するために、本発明によるサーバクライアント型電子メールシステムは、
ユーザアカウント毎に受信メールを保持するメールボックス（受信メールボックス）を有する。
【０００８】
また、サーバとクライアント間に介在し各々の電子メールの迷惑度を判定する手段を有する。
【０００９】
さらに、予め定められた迷惑度の閾値以上の電子メールに迷惑度を付与する迷惑度判定装置を有する。
【００１０】
さらに、前記迷惑度判定装置が迷惑度を付与した電子メール（迷惑メール）を前記受信メールボックスとは別に格納するための迷惑メール格納ボックスを有する。
【００１１】
さらに、前記迷惑度が閾値以上の迷惑メールを前記迷惑メール格納ボックスに格納する手段を有する。
【００１２】
さらに、ユーザ毎に前記迷惑メールを前記受信メールボックスに格納するかを選択する選択装置を有する。
【００１３】
さらに、前記迷惑メールボックスから前記受信メールボックスに電子メールを移動する移動手段を有することを特徴とする。
【００１４】
また、本発明によるサーバクライアント型電子メールシステムは、
ユーザ毎に特定の条件１（ホワイトリスト）の電子メールを強制的に前記受信メールボックスに格納することを指定するホワイトリスト装置とを有する。
【００１５】
さらに、前記ホワイトリストに合致する電子メールは、前記迷惑度判定装置が迷惑メールと判断した場合でも受信ボックスに格納することを特徴とする。
【００１６】
さらに、ユーザ毎に特定の条件２（ブラックリスト）の電子メールを強制的に前記迷惑メールボックスに格納することを指定するブラックリスト装置とを有する。
【００１７】
さらに、前記ブラックリストに合致する電子メールは、前記迷惑度判定装置が迷惑メールと判断しない場合でも迷惑メールボックスに格納することを特徴とする。
【発明の効果】
【００１８】
本発明によって、迷惑メールの迷惑度を判定する手段により、好ましくない電子メールを自動的に判定し、通常受信メールを保持するメールボックスとは別の迷惑メール格納ボックスに隔離することが可能となり、多大なるユーザの利便性を実現することができる。
【００１９】
また、誤って迷惑メールと判定された場合においても、受信メールボックスに移動する手段により通常受信メールとすることが可能である。
【００２０】
さらに、迷惑メールの迷惑度を判定する手段により、ユーザの意思と異なる判定が繰返し行なわれる場合は、ユーザ毎の条件設定（ホワイトリスト/ブラックリスト）により強制的に格納先を指定することが可能で、ユーザの満足度を向上させることができる。
【発明を実施するための最良の形態】
【００２１】
以下、この発明の実施形態を図面に基づいて説明する。
【実施例１】
【００２２】
図１はこの発明の一実施形態にかかる迷惑メールフィルタリングシステムを示す全体構成図である。
【００２３】
図１において、この迷惑メールフィルタリングシステムは、電子メールサーバ２００上に構成され、インターネット１００およびクライアントシステム３００に接続される。
【００２４】
クライアントシステム３００は例えばPCや携帯電話などメールアプリケーション機能やインターネットブラウザ機能を持った端末機器から構成されている。
これら電子メールサーバ２００とクライアントシステム３００は、インターネットなどのネットワークを介して相互に接続されている。
【００２５】
電子メールサーバ２００は、例えば複数のサーバまたは、電子機器から構成されている。
【００２６】
迷惑度判定装置２０１は、サーバ上で動作するアプリケーションであり、受信した各々の電子メールの迷惑度を予め設定してある基準に従い判定し、基準に従った迷惑度ポイントを該電子メールに付与する。
【００２７】
また、電子メールに付与した迷惑度ポイントを利用して迷惑メールの自動振り分けを行なうかどうかの設定をユーザが設定可能となっている。
【００２８】
迷惑メールの自動振り分け実施可否の設定は、Webブラウザを利用し、ユーザ個人のIDでログインすることで図５に示す迷惑メール設定画面７００を表示、迷惑メール自動振り分け７０１で設定および変更することが可能である。
【００２９】
迷惑メールの自動振り分けを行なわない設定を実施すると、全ての電子メールが受信メールボックスへ転送される。
【００３０】
ここで迷惑度の設定基準の一例は、
・受信メールのヘッダ、レイアウト、構成から、アルゴリズムによってそのメールが迷惑かどうかを判断する。
【００３１】
・既知の迷惑メールの特徴をもとにルールを自動的に作成し、新種の迷惑メールにも自動で対応する。
【００３２】
・定義の語句を用いて、迷惑メールや不適切なコンテンツを識別する。
【００３３】
・定義によって、メールを受信したくない／してもよい送信者を決定する。
などであり、その基準毎に迷惑度の重み付けを行なうことが考えられ、その重みに対応したポイント値を該電子メールに付与する。
ポイント値の電子メールへの付与方法としては、電子メールのヘッダにポイント値を追加する方法などが考えられる。
【００３４】
迷惑度ポイント閾値判定装置２０３は、サーバ上で動作するアプリケーションであり、前記迷惑度判定装置２０１によりユーザが迷惑度判定を行なう設定を実施することで電子メールに付与された迷惑度ポイント値より、該電子メールの転送先を制御する。
【００３５】
迷惑度ポイント閾値判定装置２０３は、予め設定されている閾値により、迷惑度ポイント値の付与されている電子メールを受信メールボックスに転送するか、あるいは迷惑メール格納ボックスに転送するか判断し、電子メールの転送を実施する。
【００３６】
なお、迷惑度ポイント値が該電子メールに付与されていない場合は、迷惑度ポイント閾値判定装置２０３に予め設定されている閾値より値が低いものと判断する。
【００３７】
迷惑度ポイント閾値判定装置２０３に設定される閾値は、可変となっている。
電子メールの受信メールボックス転送および迷惑メール格納ボックス転送の状況と転送電子メールの内容および該電子メールのヘッダに付与されている迷惑度ポイントを確認することで、上記閾値を変更し、適切な判定を実現することが可能となる。
【００３８】
迷惑メール格納ボックス２０５は、迷惑メール専用のメールボックスである。
迷惑メール格納ボックス２０５に迷惑メールを隔離、保存することで、受信メールボックス２０６の電子メールは通常受信メールのみとすることが可能となる。
また、迷惑メール格納ボックス２０５は保存されている迷惑メールを一定期間保存した後、自動的に削除する機能を有し、迷惑メール格納ボックス２０５の容量が枯渇することを防止する。
【００３９】
さらに、迷惑メール格納ボックス２０５に保存された迷惑メールは、図２に示す「迷惑メール閲覧画面１」４００で一覧確認することが可能である。
【００４０】
Webブラウザを利用し、ユーザ個人のIDでログインすることで該ユーザ宛てに送信され、迷惑メール格納ボックス２０５に保存された迷惑メールの一覧情報を迷惑メール閲覧画面にて確認することができる。
【００４１】
さらに、一覧情報の迷惑メールを個別に選択、ダブルクリックすることで図３に示す「迷惑メール閲覧画面２」５００により迷惑メールの内容をWebブラウザ上で確認することが可能である。
【００４２】
さらに、「迷惑メール閲覧画面１」４００および「迷惑メール閲覧画面２」５００で選択された迷惑メールを各画面上にある「メールボックスに戻す」ボタン４０１または５０１を押下することで受信メールボックスへ移動することが可能である。
【００４３】
迷惑メール格納ボックス２０５内に必要な通常メールを発見した場合、上記対応を行なうことで通常メールとして受信メールボックス２０６に保存しなおすことが可能である。
【００４４】
また、「削除する」ボタン４０２または５０２を押下することで該迷惑メールを迷惑メール格納ボックス２０５内より削除することができる。
【００４５】
上記迷惑メール格納ボックス２０５内迷惑メール確認および受信メールボックス２０６への電子メール移動のフローを図４に記載の迷惑メール移動フロー６００に示す。
【００４６】
受信メールボックス２０６は、クライアントシステム３００の電子メールクライアントアプリケーション３０１よりPOPなどの電子メール受信プロトコルにより直接電子メール受信可能な迷惑メールを含まない通常受信メールを保存する。
【００４７】
ホワイトリスト装置２０２は、設定された条件に従い受信した電子メールを受信メールボックスへ転送する。
【００４８】
ここで判断の条件の一例は、
・送信元電子メールアドレス
・送信元ドメイン
・送信元IPアドレス
などであり、条件に一致する電子メールは全て通常受信メールとして、受信メールボックスに転送する。
【００４９】
この機能により、迷惑度判定装置２０１において誤検知を起しやすい送信元ドメインを登録することで迷惑度ポイント閾値判定装置２０３による誤検知を未然に防止することが可能となる。
【００５０】
また、必ず通常受信メールとして受信したい電子メールの送信元電子メールアドレスを登録することで確実な電子メール受信が可能となる。
【００５１】
ブラックリスト装置２０４は、設定された条件に従い受信した電子メールを迷惑メール格納ボックスへ転送する。
【００５２】
ここで判断の条件の一例は、
・送信元電子メールアドレス
・送信元ドメイン
・送信元IPアドレス
・件名（Subject）に特定文字列が含まれる
などであり、条件に一致する電子メールは全て迷惑メールとして、迷惑メール格納ボックスに転送する。
【００５３】
この機能により、迷惑メールの送信元ドメインを登録することで迷惑度ポイント閾値判定装置２０３を通過してきた迷惑メールを迷惑メール格納ボックスに転送することが可能となり、迷惑メール検知率を向上させることができる。
【００５４】
また、必ず受信したくない電子メールの送信元電子メールアドレスを登録することで受信したくない電子メールを確実に迷惑メール扱いとし、迷惑メール格納ボックスへ転送、保存させることが可能となる。
【００５５】
ホワイトリスト装置２０２およびブラックリスト装置２０４への判断条件の設定は、図５に示す迷惑メール設定画面７００のメール許可リスト７０２およびメール拒否リスト７０３により一覧確認および変更することが可能である。
【００５６】
Webブラウザを利用し、ユーザ個人のIDでログインすることで迷惑メール設定画面７００を表示、メール許可リスト７０２およびメール拒否リスト７０３の判断条件を確認、変更することができる。
【００５７】
前述した迷惑メールフィルタリングシステムの全体フローを図６に記載の迷惑メールフィルタリングシステム全体フロー８００に示す。
【図面の簡単な説明】
【００５８】
【図１】この発明の一実施形態にかかる迷惑メールフィルタリングシステムを示す全体構成図である。
【図２】この発明の一実施形態にかかる迷惑メール閲覧のためのインタフェースである。
【図３】この発明の一実施形態にかかる迷惑メール内容確認のためのインタフェースである。
【図４】迷惑メール格納ボックス内の電子メールを確認し、必要な電子メールを受信メールボックスへ移動する処理を示すフローチャートである。
【図５】この発明の一実施形態にかかるホワイトリスト機能およびブラックリスト機能への判断条件設定のためのインタフェースである。
【図６】迷惑メールフィルタリングシステム全体の処理を示すフローチャートである。
【符号の説明】
【００５９】
１００  インターネット
１０１  受信メール
２００  電子メールサーバ
２０１  迷惑度判定装置
２０２  ホワイトリスト装置
２０３  迷惑度ポイント閾値判定装置
２０４  ブラックリスト装置
２０５  迷惑メール格納ボックス
２０６  メールボックス
３００  クライアントシステム
３０１  電子メールクライアントアプリケーション
４００  迷惑メール閲覧画面１
４０１  「メールボックスに戻す」ボタン
４０２  「削除する」ボタン
５００  迷惑メール閲覧画面２
５０１  「メールボックスに戻す」ボタン
５０２  「削除する」ボタン
６００  迷惑メール移動フロー
７００  迷惑メール設定画面
７０１  迷惑メール自動振り分け
７０２  メール許可リスト
７０３  メール拒否リスト
８００  迷惑メールフィルタリングシステム全体フロー
【図１】
2009055425.tif 000003
【図２】
2009055425.tif 000004
【図３】
2009055425.tif 000005
【図４】
2009055425.tif 000006
【図５】
2009055425.tif 000007
【図６】
2009055425.tif 000008